(57)【特許請求の範囲】
【請求項１】
光ビームを用いて情報を再生する情報再生装置に含まれるミラー信号生成装置であって、当該光ビームの焦点位置と前記情報により記録媒体上に形成されている情報トラックの位置とを一致させるためのトラッキングサーボループが開状態となっているときに前記焦点位置が前記情報トラック上にあるか否かを示すミラー信号を生成するミラー信号生成装置において、
前記トラッキングサーボループが開状態となっているときに、前記光ビームの前記記録媒体からの反射光に基づいて、前記情報に対応する再生信号を生成する生成手段と、
前記生成された再生信号における下側エンベロープを検出し、対応する第１下側エンベロープ信号を生成する第１下側エンベロープ信号生成手段と、
前記生成された第１下側エンベロープ信号を平均化し、平均化信号を生成する平均化手段と、
前記再生信号における上側エンベロープを検出し、対応する上側エンベロープ信号を生成する上側エンベロープ信号生成手段と、
前記第１下側エンベロープ信号における下側エンベロープを検出し、対応する第２下側エンベロープ信号を生成する第２下側エンベロープ信号生成手段と、
前記生成された平均化信号の値から前記生成された第２下側エンベロープ信号の値を減算した値を、前記生成された上側エンベロープ信号の値から前記第２下側エンベロープ信号の値を減算した値で除した値を記憶する記憶手段と、
前記記憶された値に前記情報の再生中において生成される前記上側エンベロープ信号の値から前記情報の再生中において生成される前記第２下側エンベロープ信号の値を減算した値を乗算し、さらに前記情報の再生中において生成される前記第２下側エンベロープ信号の値を加算した値を有するスライス信号を生成するスライス信号生成手段と、
前記生成されたスライス信号と前記第１下側エンベロープ信号とを比較し、前記ミラー信号を生成する比較生成手段と、
を備えることを特徴とするミラー信号生成装置。
【請求項２】
請求項１に記載のミラー信号生成装置において、
少なくとも前記平均化信号は、前記情報の再生前において生成されることを特徴とするミラー信号生成装置。
【請求項３】
請求項１又は２に記載のミラー信号生成装置と、
前記ミラー信号に基づいて前記トラッキングサーボループを閉状態とする制御手段と、
前記トラッキングサーボループが閉状態となった後の前記再生信号に基づいて前記情報を再生する再生手段と、
を備えることを特徴とする情報再生装置。
【発明の詳細な説明】
【０００１】
【発明の属する技術分野】
本発明は、例えば光ディスク等のディスク状記録媒体上に記録された情報を再生するに際し、複数の情報トラックを跨いで光スポットを移動させた後にトラッキングサーボループを閉状態とするタイミングを示すミラー信号を生成するミラー信号生成装置の技術分野に属する。
【０００２】
【従来の技術】
従来、上記ディスク状記録媒体上の情報を光学的に再生する場合には、当該再生に用いられる光ビームの焦点位置を当該情報によりディスク状記録媒体上に形成される情報トラックの位置に一致させるためのいわゆるトラッキングサーボ制御と、上記焦点位置とディスク状記録媒体における情報記録面の位置とを一致させるいわゆるフォーカスサーボ制御とが不可欠である。
【０００３】
一方、情報の再生時においては、所望の情報が記録されているディスク状記録媒体上の位置に複数の情報トラックを跨いで上記焦点位置を移動させる、いわゆるトラックジャンプ動作又はシーク動作が実行されることがある。そして、当該トラックジャンプ動作中においては、上記トラッキングサーボ制御におけるトラキングサーボループを開状態とすると共に、所望の情報トラック上に上記焦点位置が位置したタイミングで当該トラッキングサーボループを閉状態に切り替えてトラッキングサーボ制御を再開する必要がある。
【０００４】
このため、従来では、トラックジャンプ動作等を行っているときに検出される再生信号（上記光ビームのディスク状記録媒体からの反射光に基づいて検出される再生すべき情報に対応した再生ＲＦ（Radio  Frequency）信号）に基づいて、当該光ビームの焦点位置が情報トラック上にあるとき「ＨＩＧＨ」となり、情報トラック以外の領域（隣接する情報トラック同士に挟まれた領域）にあるとき「ＬＯＷ」となるミラー信号を生成し、当該ミラー信号を用いて当該焦点位置と情報トラックの位置との関係を把握してトラッキングサーボループを閉状態に切り替えていた。
【０００５】
より具体的には、上記トラックジャンプ動作等中に上記反射光に基づいて並行して生成されるトラッキングエラー検出信号（隣接する情報トラック同士に挟まれた領域の中央で「ＬＯＷ」から「ＨＩＧＨ」に切り替わると共に、情報トラックの中心軸上で「ＨＩＧＨ」から「ＬＯＷ」に切り替わる特性を有する信号である。）と上記ミラー信号とを比較し、所望の情報トラック上において、ミラー信号が「ＨＩＧＨ」となっている間にトラッキングエラー検出信号が「ＨＩＧＨ」から「ＬＯＷ」に切り替わったタイミングでトラッキングサーボループを開状態から閉状態に切り替えるのである。
【０００６】
このようにすれば、情報トラック上に焦点位置があるときに正確にトラッキングサーボループを閉状態としてトラッキングサーボ制御を再開することができる。
【０００７】
ここで、上記ミラー信号の生成に際しては、従来では、情報再生前において、トラッキングサーボループが開状態のときに生成される再生ＲＦ信号の最大振幅値を所定の分圧比で分圧した一定電圧値（より具体的には、情報再生前のトラッキングサーボループが開状態のときにおける当該再生ＲＦ信号の下側エンベロープ信号の中心レベルと一致した電圧値レベル）を有する基準スライス信号を生成し、これと情報再生中のトラックジャンプ動作等時に検出される再生ＲＦ信号とを比較し、当該再生ＲＦ信号の値が上記基準スライス信号のレベルよりも高いときに「ＨＩＧＨ」となり、再生ＲＦ信号の値が基準スライス信号のレベルよりも低いときに「ＬＯＷ」となるようにミラー信号を生成していた。このとき、上記基準スライス信号のレベルは、情報の再生中においては常に一定であった。
【０００８】
【発明が解決しようとする課題】
しかしながら、上述のようなミラー信号の生成方法によると、再生中における再生ＲＦ信号の変調度の変化に起因して、上記基準スライス信号のレベルが当該再生ＲＦ信号の下側エンベロープの最大値よりも高いレベルとなったり、反対に当該下側エンベロープの最小値よりも低いレベルとなり、結果としてミラー信号としての二値化信号が得られない場合があるという問題点があった。
【０００９】
すなわち、ディスク状記録媒体においては、一般に、トラッキングサーボループが開状態のとき（すなわち、上記トラックジャンプ動作時等）の再生ＲＦ信号の変調度（当該再生ＲＦ信号の下側エンベロープの振幅に対応する）は、当該ディスク状記録媒体の内周部と外周部とでは異なる場合がある。この状態は、近年一般化しつつあるＤＶＤ（従来のＣＤ（Compact  Disk）よりも約７倍に記憶容量を高めた光ディスク）のような高密度記録媒体においては、顕著に現出する。そして、このような変調度の変化があると上述したように二値化信号としてのミラー信号そのものが生成できなくなる場合が発生するのである。
【００１０】
そこで、本発明は、上述の問題点に鑑みてなされたもので、その課題は、トラッキングサーボループが開状態のときの再生ＲＦ信号の変調度が変化しても正確にミラー信号を生成することが可能なミラー信号生成装置及び当該ミラー信号生成装置を備えた情報再生装置を提供することにある。
【００１１】
【課題を解決するための手段】
上記課題を解決するために、請求項１に記載の発明は、光ビームを用いて情報を再生する情報再生装置に含まれるミラー信号生成装置であって、当該光ビームの焦点位置と前記情報により光ディスク等の記録媒体上に形成されている情報トラックの位置とを一致させるためのトラッキングサーボループが開状態となっているときに前記焦点位置が前記情報トラック上にあるか否かを示すミラー信号を生成するミラー信号生成装置において、前記トラッキングサーボループが開状態となっているときに、前記光ビームの前記記録媒体からの反射光に基づいて、前記情報に対応する再生信号を生成するピックアップ等の生成手段と、前記生成された再生信号における下側エンベロープを検出し、対応する第１下側エンベロープ信号を生成するボトム検出回路等の第１下側エンベロープ信号生成手段と、前記生成された第１下側エンベロープ信号を平均化し、平均化信号を生成するＬＰＦ（Low  Pass  Filter）等の平均化手段と、前記再生信号における上側エンベロープを検出し、対応する上側エンベロープ信号を生成するピーク検出回路等の上側エンベロープ信号生成手段と、前記第１下側エンベロープ信号における下側エンベロープを検出し、対応する第２下側エンベロープ信号を生成するボトム検出回路等の第２下側エンベロープ信号生成手段と、前記生成された平均化信号の値から前記生成された第２下側エンベロープ信号の値を減算した値を、前記生成された上側エンベロープ信号の値から前記第２下側エンベロープ信号の値を減算した値で除した値を記憶する演算回路等の記憶手段と、前記記憶された値に前記情報の再生中において生成される前記上側エンベロープ信号の値から前記情報の再生中において生成される前記第２下側エンベロープ信号の値を減算した値を乗算し、さらに前記情報の再生中において生成される前記第２下側エンベロープ信号の値を加算した値を有するスライス信号を生成する演算回路等のスライス信号生成手段と、前記生成されたスライス信号と前記第１下側エンベロープ信号とを比較し、前記ミラー信号を生成するコンパレータ等の比較生成手段と、を備えることを特徴とする。
【００１２】
上記課題を解決するために、請求項２に記載の発明は、請求項１に記載のミラー信号生成装置において、少なくとも前記平均化信号が、前記情報の再生前において生成されることを特徴とする。
【００１５】
上記課題を解決するために、請求項３に記載の発明は、請求項１又は２に記載のミラー信号生成装置と、前記ミラー信号に基づいて前記トラッキングサーボループを閉状態とする制御手段と、前記トラッキングサーボループが閉状態となった後の前記再生信号に基づいて前記情報を再生する再生手段と、を備えることを特徴とする。
【００３７】
【発明の実施の形態】
次に、本発明に好適な実施の形態を、図面に基づいて説明する。なお、以下に説明する実施形態は、記録媒体としての光ディスクから当該光ディスクに記録されている情報を再生する情報再生装置に対して本発明を適用した場合の実施形態である。
【００３８】
始めに、実施形態に係る情報再生装置の全体構成及び動作について、図１を用いて説明する。
【００３９】
図１に示すように、実施形態に係る情報再生装置Ｓは、光ディスク１と、生成手段としてのピックアップ２と、再生手段としての再生部３と、本発明に係るミラー信号生成装置としてのミラー信号生成部４と、トラッキングエラー信号生成部５と、フォーカスエラー信号生成部６と、制御手段としてのサーボ処理部７と、スピンドルモータ８と、により構成されている。
【００４０】
次に、動作を説明する。
【００４１】
情報再生時において、光ディスク１は、後述するスピンドル制御信号Ｓsdにより駆動されるスピンドルモータ８により所定回転数で回転されている。
【００４２】
そして、ピックアップ２は、当該回転する光ディスク１に対してレーザ光等の光ビームＢを出射し、その反射光に基づいて再生すべき光ディスク１上の情報に対応する再生ＲＦ信号Ｓrfを生成する。
【００４３】
これと並行して、ピックアップ２は、当該反射光に基づいて、光ビームＢの焦点位置の光ディスク１における情報記録面からのずれを示すフォーカスエラー検出信号Ｓfpを生成すると共に、当該反射光に基づいて、再生すべき情報により光ディスク１上に形成された情報トラックの位置と光ビームＢの焦点位置との上記情報記録面に平行な方向（トラッキング方向）のずれを示すトラッキングエラー検出信号Ｓtpを生成する。
【００４４】
次に、ミラー信号生成部４は、トラックジャンプ動作時又はシーク動作時（すなわち、トラッキングサーボループが開状態のとき）においてピックアップ２から出力される再生ＲＦ信号Ｓrfを用いた後述の動作により、当該トラックジャンプ動作時又はシーク時において、光ビームＢの焦点位置が光ディスク１上の情報により形成されている情報トラック上にあるとき「ＨＩＧＨ」となり、当該情報トラックの位置以外の領域にあるとき「ＬＯＷ」となるミラー信号Ｓmrを生成し、サーボ処理部７へ出力する。
【００４５】
これと並行して、再生部３は、上記トラックジャンプ動作時又はシーク動作時以外のときは、再生ＲＦ信号Ｓrfに対して復調処理等を施し、再生すべき情報に対応する再生信号Ｓpを外部に出力する。
【００４６】
一方、上記トラッキングエラー信号Ｓtpが入力されているトラッキングエラー信号生成部５は、上記トラッキングエラー検出信号Ｓtpに基づいて光ビームＢの上記トラッキング方向のずれを示すトラッキングエラー信号Ｓteを生成し、サーボ処理部７に出力する。
【００４７】
これと並行して、上記フォーカスエラー検出信号Ｓfpが入力されているフォーカスエラー信号生成部６は、上記フォーカスエラー検出信号Ｓfpに基づいて、光ビームＢの焦点位置の上記情報記録面の位置からずれを示すフォーカスエラー信号Ｓfeを生成し、サーボ処理部７に出力する。
【００４８】
これらにより、サーボ処理部７は、上記トラックジャンプ動作時又はシーク動作時以外のときは、先ず、上記トラッキングエラー信号Ｓteに基づいてピックアップ２内に含まれる図示しない対物レンズをトラッキング方向に駆動するためのトラッキング駆動信号Ｓtdを生成し、ピックアップ２内の図示しないトラッキングアクチュエータ（上記対物レンズをトラッキング方向に移動させるためのトラッキングアクチュエータ）に出力する。
【００４９】
更にこれと並行して、サーボ処理部７は、上記フォーカスエラー信号Ｓfeに基づいて、ピックアップ２内に含まれる図示しない対物レンズを上記情報記録面に垂直な方向に駆動するためのフォーカス駆動信号Ｓfdを生成し、ピックアップ２内の図示しないフォーカスアクチュエータ（上記対物レンズを情報記録面に垂直な方向に移動させるためのフォーカスアクチュエータ）に出力する。
【００５０】
そして、これらトラッキング駆動信号Ｓtd及びフォーカス駆動信号Ｓfdに基づいて上記トラッキングアクチュエータ及びフォーカスアクチュエータが駆動されることにより、上記対物レンズがトラッキング方向及び情報記録面に垂直な方向に移動し、情報の再生に伴ういわゆるトラッキングサーボ制御及びフォーカスサーボ制御が実行されることとなる。
【００５１】
また、サーボ処理部７は、上記再生ＲＦ信号Ｓrfに基づいて、上記スピンドルモータ８を駆動するためのスピンドル制御信号Ｓsdを生成し、当該スピンドルモータ８へ出力する。
【００５２】
これらに対し、上記トラックジャンプ動作時又はシーク動作時には、サーボ処理部７は、入力されているトラッキングエラー信号Ｓte及びミラー信号Ｓmrを用いて、トラックジャンプ動作又はシーク動作するトラックの数を計数すると共に、トラッキングサーボ制御におけるいわゆる引き込み動作時における滑りブレーキ検出等を行う
次に、本発明に係るミラー信号生成部４の構成及び動作について、図２及び図３を用いて説明する。
【００５３】
図２に示すように、ミラー信号生成部４は、上側エンベロープ信号生成手段としてのピーク検出回路１０と、下側エンベロープ信号生成手段及び第１下側エンベロープ信号生成手段としてのボトム検出回路１１と、第２下側エンベロープ信号生成手段としてのボトム検出回路１３と、平均化手段としてのＬＰＦ１２と、ミラー信号生成回路１４とにより構成されている。
【００５４】
更に、ミラー信号生成回路１４は、スライス信号生成手段としての演算回路１５と、比較生成手段としてのコンパレータ１６とにより構成されている。
【００５５】
次に、各部の動作を説明する。
【００５６】
始めに、光ディスク１からの情報の再生前等においてトラッキングサーボループが開状態となっているときのミラー信号生成部４の動作について説明する。
【００５７】
上記トラッキングサーボループが開状態であるときに光ディスク１の偏芯等に起因して光ビームＢの照射位置が情報トラックを横切って移動すると、例えば、図３（ａ）に示すような波形を有する再生ＲＦ信号Ｓrfがピックアップ２から出力される。このとき、当該再生ＲＦ信号Ｓrfの下側エンベロープの波形が情報トラックの有無に対応している。すなわち、当該下側エンベロープの値がその中心レベルよりも高い期間が光ビームＢの照射範囲が情報トラック以外の領域上にあるタイミングを示しており、下側エンベロープの値がその中心レベルよりも低い期間が光ビームＢの照射範囲が情報トラック上にあるタイミングを示している。
【００５８】
そして、トラッキングサーボループが開状態のときにこのような波形を有する再生ＲＦ信号Ｓrfがピーク検出回路１０に入力されると、当該ピーク検出回路１０は当該再生ＲＦ信号Ｓrfの上側エンベロープを検出し、対応するエンベロープ信号Ｓpe（図３（ｂ）参照）を生成してミラー信号生成部１４内の演算回路１５に出力する。
【００５９】
これと並行して、再生ＲＦ信号Ｓrfが入力されているボトム検出回路１１は、当該再生ＲＦ信号Ｓrfの下側エンベロープを検出し、対応するエンベロープ信号Ｓbe（図３（ｂ）参照）を生成してＬＰＦ１２及びボトム検出回路１３に出力する。
【００６０】
次に、ＬＰＦ１２は、入力されているエンベロープ信号Ｓbeを予め設定された所定の時定数（いうまでもなく、トラッキングサーボループが開状態となっている期間よりも短い。）で平均化し、図３（ｃ）に示すような平均化信号Ｓavを生成して演算回路１５に出力する。
【００６１】
一方、ボトム検出回路１３は、入力されているエンベロープ信号Ｓbeの下側エンベロープを検出し、図３（ｃ）に示すようなエンベロープ信号Ｓbbeを生成して演算回路１５に出力する。
【００６２】
そして、演算回路１５は、入力されている上記エンベロープ信号Ｓpe及び上記エンベロープ信号Ｓbbe並びに上記平均化信号Ｓavの夫々を用いて、
【数１】
Ｖs＝｛（平均化信号Ｓavのレベル）−（エンベロープ信号Ｓbbeのレベル）｝／｛（エンベロープ信号Ｓpeのレベル）−（エンベロープ信号Ｓbbeのレベル）｝
で示されるレベルＶｓを算出し、当該演算回路１５内に一時的に記憶する。
【００６３】
次に、実際の情報再生時にトラックジャンプ動作又はシーク動作が実行されたときのミラー信号生成部４の動作について説明する。
【００６４】
上記トラックジャンプ動作時又はシーク動作時に光ビームＢの照射位置が情報トラックを横切って移動した場合にピックアップ２から出力される再生ＲＦ信号Ｓrfは、上述したトラッキングサーボループが開状態のときに得られる再生ＲＦ信号Ｓrfと同様の、例えば、図３（ａ）に示すような波形を有する。そして、このときでも、再生ＲＦ信号Ｓrfの下側エンベロープの値がその中心レベルよりも高い期間が光ビームＢの照射範囲が情報トラック以外の領域上にあるタイミングを示しており、下側エンベロープの値がその中心レベルよりも低い期間が光ビームＢの照射範囲が情報トラック上にあるタイミングを示している。
【００６５】
次に、ピーク検出回路１０は、上記トラックジャンプ動作時又はシーク動作時の再生ＲＦ信号Ｓrfの上側エンベロープを検出し、対応するエンベロープ信号Ｓpe（図３（ｂ）参照）を生成してミラー信号生成部１４内の演算回路１５に出力する。
【００６６】
これと並行して、上記再生ＲＦ信号Ｓrfが入力されているボトム検出回路１１は、その下側エンベロープを検出し、対応するエンベロープ信号Ｓbe（図３（ｂ）参照）を生成してボトム検出回路１３及びコンパレータ１６に出力する。
【００６７】
次に、ボトム検出回路１３は、入力されているエンベロープ信号Ｓbeの下側エンベロープを検出し、図３（ｃ）に示すようなエンベロープ信号Ｓbbeを生成して演算回路１５に出力する。
【００６８】
そして、演算回路１５は、入力されている上記エンベロープ信号Ｓpe及び上記エンベロープ信号Ｓbbe並びに演算回路１５内に記憶されている上記レベルＶsの夫々を用いて、
【数２】
Ｖss＝｛（エンベロープ信号Ｓpeのレベル）−（エンベロープ信号Ｓbbeのレベル）｝×Ｖs＋（エンベロープ信号Ｓbbeのレベル）
で示されるレベルＶssを有するスライス信号Ｓsを生成し、コンパレータ１６に出力する。
【００６９】
その後、コンパレータ１６は、入力されている上記エンベロープ信号Ｓbeのレベルと上記スライス信号ＳsのレベルＶssとを比較し、図３（ｄ）に示す波形を有する二値化信号であるミラー信号Ｓmrを生成してトラッキングエラー信号生成部５に出力する。
【００７０】
その後、サーボ処理部７は、トラックジャンプ動作又はシーク動作が終了し次第、上記ミラー信号Ｓmrと当該トラックジャンプ動作時又はシーク動作時に出力されるトラッキングエラー信号Ｓteに基づいてトラッキングサーボループを閉状態にするタイミングを検出してトラッキングサーボ制御を再開し、トラッキング駆動信号Ｓtdの生成を再開する。
【００７１】
以上説明したように、実施形態の情報再生装置Ｓの動作によれば、エンベロープ信号Ｓｐｅ、エンベロープ信号Ｓｂｂｅ及び平均化信号Ｓａｖに基づいて生成されたレベルＶｓｓとエンベロープ信号Ｓｂｅとを比較して二値化信号である上記ミラー信号Ｓｍｒを生成するので、再生ＲＦ信号Ｓｒｆの変調度が変化しても、光ビームＢの焦点位置と情報トラックの位置との関係に正確に対応した波形のミラー信号Ｓｍｒを生成することができる。従って、当該ミラー信号Ｓｍｒを用いることにより、正確なタイミングでトラッキングサーボループを閉状態に移行させることができる。
【００７２】
よって、再生ＲＦ信号Ｓrfの変調度が変化する場合にトラッキングサーボループが開状態となってトラックジャンプ等が発生しても正確に情報を再生することができる。
【００７３】
また、平均化信号Ｓavの値からエンベロープ信号Ｓbbeの値を減算した値を、エンベロープ信号Ｓpeの値から下側エンベロープ信号Ｓbbeの値を減算した値で除した値を上記レベルＶsとしているので、エンベロープ信号Ｓbeの振幅範囲内のレベルを有するスライス信号Ｓsを確実に生成することができ、光ビームＢの焦点位置と情報トラックの位置との関係により正確に対応した波形のミラー信号Ｓmrを生成することができる。
【００７４】
更に、平均化信号Ｓavを情報の再生当初におけるトラッキングサーボループが開状態のときに生成すると共に、生成された平均化信号Ｓavを用いて、情報の再生途中において光ビームＢが情報トラックを横切るときに生成されるスライス信号Ｓsに基づいてミラー信号Ｓmrを生成するので、情報の再生途中において光ビームＢが情報トラックを横切る時間（すなわちトラッキングサーボループが開状態となっている時間）が短く、エンベロープ信号Ｓbeの平均化を実行する時間がなくても、正確にミラー信号Ｓmrを生成することができる。
【００７５】
なお、上述の実施形態においては、情報再生前のトラッキングサーボループが開状態のときに上記レベルＶｓを算出して演算回路１５内に記憶する構成としたが、これ以外に、情報再生前のトラッキングサーボループが開状態のときには上記平均化信号Ｓavのみを生成してそのレベルを演算回路１５に記憶しておき、その後、情報再生中のトラックジャンプ動作時又はシーク動作時毎に当該平均化信号Ｓavのレベルとそのときに入力されている上記エンベロープ信号Ｓpe及び上記エンベロープ信号Ｓbbeを用いて、上記レベルＶｓを算出し、これに基づいて上記ミラー信号Ｓmrを生成してもよい。
【００７６】
また、情報再生前等のトラッキングサーボループが開状態のときに、平均化信号Ｓavとエンベロープ信号Ｓbbeとを用いて、
【数３】
Ｖsss＝（平均化信号Ｓavのレベル）−（エンベロープ信号Ｓbbeのレベル）
で示されるレベルＶsssを算出して演算回路１５に記憶しておき、情報再生中のトラックジャンプ動作時又はシーク動作時に当該レベルＶsssにエンベロープ信号Ｓbbeのレベルを加算したレベルを有するスライス信号Ｓsを生成するようにしてもよい。
【００７７】
更に上記レベルＶsssの算出に関して、上記平均化信号Ｓavのレベルのみを情報再生前等のトラッキングサーボループが開状態のときに算出しておき、情報再生中のトラックジャンプ動作時又はシーク動作時毎に当該平均化信号Ｓavのレベルとそのときに検出されるエンベロープ信号Ｓbbeのレベルとを用いて当該レベルＶsssを算出してもよい。
【００７８】
更にまた、情報再生中において長い期間にトラックジャンプ動作又はシーク動作が実行されるときは、上記平均化信号Ｓavそのものを当該トラックジャンプ動作時又はシーク動作時毎に算出し、これを用いて上述の処理によりミラー信号Ｓmrを算出してもよい。
【００７９】
情報再生装置Ｓによれば、光ビームＢの焦点位置を正確に把握してトラッキングサーボループを閉状態として情報を再生するので、再生ＲＦ信号Ｓｒｆの変調度が変化する場合にトラッキングサーボループが開状態となってトラックジャンプ等が発生しても正確に情報を再生することができる。
【図面の簡単な説明】
【図１】情報再生装置の概要構成を示すブロック図である。
【図２】ミラー信号生成部の概要構成を示すブロック図である。
【図３】ミラー信号の生成動作を示す図であり、（ａ）は生成される再生ＲＦ信号の波形例を示す図であり、（ｂ）は再生ＲＦ信号の各エンベロープの波形を示す図であり、（ｃ）は平均化信号の生成を説明する図であり、（ｄ）はミラー信号の生成を説明する図である。
【符号の説明】
１…光ディスク
２…ピックアップ
３…再生部
４…ミラー信号生成部
５…トラキングエラー信号生成部
６…フォーカスエラー信号生成部
７…サーボ処理部
８…スピンドルモータ
１０…ピーク検出回路
１１、１３…ボトム検出回路
１２…ＬＰＦ
１４…ミラー信号生成回路
１５…演算回路
１６…コンパレータ
Ｓ…情報再生装置
Ｂ…光ビーム
Ｓrf…再生ＲＦ信号
Ｓp…再生信号
Ｓtp…トラッキングエラー検出信号
Ｓfp…フォーカスエラー検出信号
Ｓmr…ミラー信号
Ｓte…トラッキングエラー信号
Ｓfe…フォーカスエラー信号
Ｓtd…トラッキング駆動信号
Ｓsd…スピンドル制御信号
Ｓfd…フォーカス駆動信号
Ｓpe、Ｓbe、Ｓbbe…エンベロープ信号
Ｓav…平均化信号
Ｓs…スライス信号
【図１】
0003833372.tif 000002
【図２】
0003833372.tif 000003
【図３】
0003833372.tif 000004